(57)【要約】【課題】はんだを使用することなく、複数のワイヤー電線３の接続部３ａと対応する配線７の接続部７ａを電気的に接続する。【解決手段】被係止部１３及びセット部１１を有したユニット本体９と、セット部１１を覆うようにユニット本体９に係脱可能に設けられかつ被係止部１３に係止可能な係止部１７を有したカバー１５と、カバー１５に設けられかつ重なり合ったワイヤー電線３の接続部３ａと配線５の接続部５ａをセット部１１側へ押圧する押え板１９とを備える。【選択図】　　　図１
2004087331.tif 000002
【特許請求の範囲】
【請求項１】
ワイヤー電線の接続部とフレキシブルプリント回路基板における配線の接続部を電気的に接続する接続ユニットにおいて、
被係止部、及び前記ワイヤー電線の接続部と前記配線の接続部を重なり合うようにセット可能なセット部を有したユニット本体と、
前記セット部を覆うように前記ユニット本体に係脱可能に設けられ、前記被係止部に係止可能な係止部を有したカバーと、
前記カバーに設けられ、重なり合った前記ワイヤー電線の接続部と前記配線の接続部を前記セット部側へ押圧する押え板と、
を備えてなることを特徴とする接続ユニット。
【請求項２】
複数のワイヤー電線の接続部とフレキシブルプリント回路基板における対応する配線の接続部をそれぞれ電気的に接続する接続ユニットにおいて、
被係止部、及び前記複数のワイヤー電線の接続部と前記対応する配線の接続部を重なり合うすようにセット可能なセット部を有したユニット本体と、
前記セット部を覆うように前記ユニット本体に係脱可能に設けられ、前記被係止部に係止可能な係止部を有したカバーと、
前記カバーに設けられ、重なり合った前記複数のワイヤー電線の接続部と前記対応する配線の接続部を前記セット部側へ押圧する押え板と、
を備えてなることを特徴とする接続ユニット。
【請求項３】
前記ユニット本体，前記カバーのうちいずれかに設けられ、前記フレキシブルプリント回路基板における隣接する前記複数の配線の間に形成された長穴に挿通可能な仕切りと、
を備えてなることを特徴とする請求項２に記載の接続ユニット。
【請求項４】
前記ユニット本体，前記カバーのうちの一方に、曲げ凹部を形成し、
前記ユニット本体，前記カバーのうちの他方に、前記係止部を前記被係止部に係止することによって前記ワイヤー電線の一部分を前記曲げ凹部側へ曲げ変形させる曲げ凸部を形成してなることを特徴とする請求項１から請求項３のうちのいずれかの請求項に記載の接続ユニット。
【発明の詳細な説明】
【０００１】
【発明の属する技術分野】
本発明は、ワイヤー電線の接続部とフレキシブルプリント回路基板における配線の接続部を電気的に接続する接続ユニットに関する。
【０００２】
【従来の技術】
例えば、スピーカ等の電子部品におけるワイヤー電線の接続部と、フレキシブルプリント回路基板における配線の接続部を電気的に接続するため、次のように行っている。即ち、前記ワイヤー電線おける接続部に電線用コネクタを取付けると共に、前記配線の接続部に基板用コネクタをはんだにより実装する。そして、前記電線用コネクタと前記基板用コネクタを接続する。
【０００３】
【発明が解決しようとする課題】
ところで、前記基板用コネクタを実装する際に使用されるはんだには、通常、鉛が含まれるため、前記ワイヤー電線の接続部と前記配線の接続部の電気的に接続によって環境負荷が高くなるという問題がある。
【０００４】
また、前記フレキシブル回路基板が耐熱性が低い場合にあっては、はんだの代わりに高価な導電性接着剤を用いる必要があり、前記ワイヤー電線と前記配線の接続による接続コストが高くなるという問題がある。
【０００５】
【課題を解決するための手段】
請求項１に記載の発明にあっては、ワイヤー電線の接続部とフレキシブルプリント回路基板における配線の接続部を電気的に接続する接続ユニットにおいて、被係止部、及び前記ワイヤー電線の接続部と前記配線の接続部を重なり合うようにセット可能なセット部を有したユニット本体と、
前記セット部を覆うように前記ユニット本体に係脱可能に設けられ、前記被係止部に係止可能な係止部を有したカバーと、
前記カバーに設けられ、重なり合った前記ワイヤー電線の接続部と前記配線の接続部を前記セット部側へ押圧する押え板と、
を備えてなることを特徴とする。
【０００６】
請求項１に記載の発明特定事項によると、前記ワイヤー電線の接続部と前記配線の接続部を重なり合うように前記ユニット本体の前記セット部にセットする。そして、前記係止部を前記被係止部に係止させることによって前記カバーを前記ユニット本体に取付けて、前記押え板により重なり合った前記ワイヤー電線の接続部と前記配線の接続部を押圧する。これによって、前記ワイヤー電線の接続部と前記配線の接続部の重なり状態が維持されて、前記ワイヤー電線の接続部と前記配線の接続部を電気的に接続することができる。
【０００７】
請求項２に記載の発明にあっては、複数のワイヤー電線の接続部とフレキシブルプリント回路基板における対応する配線の接続部をそれぞれ電気的に接続する接続ユニットにおいて、
被係止部、及び前記複数のワイヤー電線の接続部と前記対応する配線の接続部を重なり合うすようにセット可能なセット部を有したユニット本体と、
前記セット部を覆うように前記ユニット本体に係脱可能に設けられ、前記被係止部に係止可能な係止部を有したカバーと、
前記カバーに設けられ、重なり合った前記複数のワイヤー電線の接続部と前記対応する配線の接続部を前記セット部側へ押圧する押え板と、
を備えてなることを特徴とする。
【０００８】
請求項２に記載の発明特定事項によると、前記複数のワイヤー電線の接続部と前記対応する配線の接続部を重なり合うように前記ユニット本体の前記セット部にセットする。そして、前記係止部を前記被係止部に係止させることによって前記カバーを前記ユニット本体に取付けて、前記押え板により重なり合った前記複数のワイヤー電線の接続部と前記対応する配線の接続部を押圧する。これによって、前記複数のワイヤー電線の接続部と前記対応する配線の接続部の重なり状態が維持されて、前記複数のワイヤー電線の接続部と前記対応する配線の接続部を電気的に接続することができる。
【０００９】
請求項３に記載の発明にあっては、請求項２に記載の発明特定事項の他に、前記ユニット本体，前記カバーのうちいずれかに設けられ、前記フレキシブルプリント回路基板における隣接する前記複数の配線の間に形成された長穴に挿通可能な仕切りと、
を備えてなることを特徴とする。
【００１０】
請求項３に記載の発明特定事項によると、請求項２に記載の発明特定事項による作用の他に、前記セット部により前記対応する配線をセットするときに、前記長穴を前記仕切りに挿通させる。
【００１１】
請求項４に記載の発明にあっては、請求項１から請求項３のうちのいずれかの請求項に記載の発明特定事項の他に、前記ユニット本体，前記カバーのうちの一方に、曲げ凹部を形成し、
前記ユニット本体，前記カバーのうちの他方に、前記係止部を前記被係止部に係止することによって前記ワイヤー電線の一部分を前記曲げ凹部側へ曲げ変形させる曲げ凸部を形成してなることを特徴とする。
【００１２】
請求項４に記載の発明特定事項によると、請求項１から請求項３のうちのいずれかの請求項に記載の発明特定事項による作用の他に、前記曲げ凸部により前記ワイヤー電線の一部分を前記曲げ凹部側へ曲げ変形させる。
【００１３】
【発明の実施の形態】
図１（ａ）は、第１の発明の実施の形態に係わる接続ユニットの平面図であって、図１（ｂ）は、図１（ａ）におけるＩ−Ｉ線に沿った図であって、図２（ａ）は、第１の発明の実施の形態に係わる接続ユニットの側面図であって、図２（ｂ）は、図１（ｂ）におけるＩＩ−ＩＩ線に沿った図であって、図３は、カバーの係止爪とユニット本体の被係止切欠きの係止状態を示す斜視図である。
【００１４】
ここで、「左」は、図１（ａ）（ｂ）において左，図２（ａ）（ｂ）において紙面に向かって裏，図３において左斜め上のことであって、「右」は、図１（ａ）（ｂ）において右，図２（ａ）（ｂ）において紙面に向かって表，図３において右斜め下のことであって、「上」は、図１（ａ）において紙面に向かって表，図１（ｂ），図２（ａ）（ｂ），図３において上のことであって、「下」は、図１（ａ）において紙面に向かって裏，図１（ｂ），図２（ａ）（ｂ），図３において下のことである。
【００１５】
本発明の実施の形態に係わる接続ユニット１は、例えばスピーカ等の電子部品における複数のワイヤー電線３の接続部３ａとフレキシブルプリント回路基板５における対応する配線７の接続部７ａをそれぞれ電気的に接続するユニットであって、絶縁樹脂からなるユニット本体９をベースとしている。なお、フレキシブルプリント回路基板５における隣接する複数の配線７の間には複数の長穴５ｈが形成されている。
【００１６】
ユニット本体９の上面には複数のワイヤー電線７の接続部７ａと対応する配線７の接続部７ａを重なり合うすようにセット可能な凹状のセット部１１を有しており、このセット部１１は、フレキシブルプリント基板５の端部の形状と略同じ形状の第１セット部１１ｐと、配線７の形状と略同じ形状の複数の第２セット部１１ｓからなる。また、ユニット本体９の左右両側面には複数の被係止切欠き１３がそれぞれ有してある。
【００１７】
ユニット本体９には断面コの字形状のカバー１５がセット部１１を覆うように取付けられており、このカバー１５は絶縁樹脂からなるものである。カバー１５の左右両側には対応する被係止切欠き１３に係止可能な複数の係止爪１７をそれぞれ有してあって、各係止爪１７は左右方向へ弾性変形可能にそれぞれ構成してある。
【００１８】
カバー１５には重なり合った複数のワイヤー電線３の接続部３ａと対応する配線７の接続部７ａを下方向（セット部１１側）へ押圧する複数の押え板１９が設けられており、各押え板１９は弾性変形可能な板バネによりそれぞれ構成してある。
【００１９】
ユニット本体９の上側には対応する長穴５ｈが挿通可能な複数の仕切り２１が一体に設けられている。なお、複数の仕切り２１はユニット本体９に外的に付加するように設けてもよく、ユニット本体９の上側の代わりにカバー１５の下側に設けるようにしてもよい。
【００２０】
ユニット本体９の上側には曲げ凹部２３が形成されており、この曲げ凹部２３は複数の第２セット部１１ｓに直交するように左右方向へ延びている。そして、カバー１５の下側には複数のワイヤー電線３の一部分を曲げ凹部２３側へ曲げ変形させる曲げ凸部２５が形成されている。なお、曲げ凹部２３をカバー１５の下側に形成しかつ曲げ凸部２５をユニット本体１１の上側に形成しても差し支えない。また、曲げ凹部２３及び曲げ凸部２５の凹凸量を微小にしかつ曲げ凹部２３及び曲げ凸部２５を複数連続して形成することにより、ユニット本体１１の上側及びカバー１５の下側にギザギザ状の刻みを形成してもよい。
【００２１】
次に、第１の発明の実施の形態の作用について説明する。
【００２２】
複数のワイヤー電線３の接続部３ａと対応する配線７の接続部７ａを重なり合うようにユニット本体９のセット部１１にセットする。このとき、フレキシブルプリント回路基板５における複数の長穴５ｈを対応する仕切り２１に挿通させる。
【００２３】
そして、複数の係止爪１７を対応する被係止切欠き１３に係止させることによってカバー１５をユニット本体９に取付けて、複数の押え板１９により重なり合った複数のワイヤー電線３の接続部３ａと対応する配線７の接続部７ａを下方向へ押圧すると共に、曲げ凸部２５により複数のワイヤー電線３の一部分を曲げ凹部２３側へ曲げ変形させる。これによって、複数のワイヤー電線３の接続部３ａと対応する配線７の接続部７ａの重なり状態が維持されて、複数のワイヤー電線３の接続部３ａと対応する配線７の接続部７ａを電気的に接続することができる。
【００２４】
以上の如き、第１の発明の実施の形態によれば、はんだを使用することなく、複数の押え板１９により重なり合った複数のワイヤー電線３の接続部３ａと対応する配線７の接続部７ａをそれぞれ押圧して、複数のワイヤー電線３の接続部３ａと対応する配線７の接続部７ａを電気的に接続することができるため、複数のワイヤー電線３の接続部３ａと対応する複数の配線７の接続部７ａの電気的に接続によって対環境負荷が高くなることを抑制できる。
【００２５】
また、同じ理由により、フレキシブルプリント回路基板３の耐熱性の良否に拘わらず、複数のワイヤー電線３の接続部３ａと対応する配線７の接続部７ａを電気的に接続することができ、前記導電性接着剤を不要として、複数のワイヤー電線３と複数の配線７の接続による接続コストの低減を図ることができる。
【００２６】
更に、セット部１１により複数の配線７をセットするときに、複数の長穴７ｈを対応する仕切り２１に挿通させるため、仕切り２１により隣接するワイヤー電線３同士を仕切って、ワイヤー電線３間のショートを防止することができる。
【００２７】
また、曲げ凸部２５により複数のワイヤー電線３の一部分を曲げ凹部２３側へ曲げ変形させるため、複数のワイヤー電線３をユニット本体９に強固に取付けて、複数のワイヤー電線３の接続部３ａと対応する配線７の接続部７ａの電気的な接続状態が安定する。
【００２８】
図４（ａ）は、第２の発明の実施の形態に係わる接続ユニットの平面図であって、図４（ｂ）は、図４（ａ）におけるＩＩＩ−ＩＩＩ線に沿った図である。
【００２９】
図４（ａ）（ｂ）に示すように、第２の発明の実施の形態に係わる接続ユニット２７も第１の発明の実施の形態に係わる接続ユニット１と略同じ構成を有してあって、接続ユニット２７の構成のうち接続ユニット１の構成と異なる部分についてのみ説明し、接続ユニット２７の複数の構成要素のうち接続ユニット１における対応する構成要素と略同じものについては、図面中に対応する構成要素と同一番号を付して説明を省略する。
【００３０】
即ち、接続ユニット２７におけるユニット本体９及びカバー１５は、それぞれ接続ユニット１におけるユニット本体９及びカバー１５と異なる形状を呈している。また、接続ユニット２７におけるユニット本体９のセット部２９は、フレキシブルプリント回路基板５の端部の形状と略同じ形状の第１セット部２９ｐと、貫通して形成された第２セット部２９ｓからなる。更に、接続ユニット２７におけるユニット本体９は複数の被係止切欠き１３の代わりに複数の被係止孔３１を有してあって、接続ユニット２７におけるカバー１５は係止爪１７の代わりに複数の係止突起３３を有している。
【００３１】
また、フレキシブルプリント回路基板５には複数の係合部３ａが形成されてあって、接続ユニット２７におけるユニット本体９には対応する係合部３ａが係合可能な複数の被係合部３５が形成されている。
【００３２】
なお、第２の発明の実施の形態においても、第１の発明の実施の形態の作用、効果と略同一の作用、効果を奏する。
【００３３】
なお、本発明は、前述の発明の実施の形態に係わるものではなく、適宜の変更を行うことにより、その他種々の態様で実施可能である。
【００３４】
【発明の効果】
請求項１から請求項４のうちのいずれかの請求項に記載の発明によれば、はんだを使用することなく、前記押え板により重なり合った前記ワイヤー電線の接続部と前記配線の接続部を押圧して、前記ワイヤー電線の接続部と前記配線の接続部を電気的に接続することができるため、前記ワイヤー電線の接続部と前記配線の接続部の電気的に接続によって対環境負荷が高くなることを抑制できる。
【００３５】
また、同じ理由により、前記フレキシブルプリント回路基板の耐熱性の良否に拘わらず、前記ワイヤー電線の接続部と前記配線の接続部を電気的に接続することができ、前記導電性接着剤を不要とし、前記ワイヤー電線と前記配線の接続による接続コストの低減を図ることができる。
【００３６】
請求項３又は請求項４に記載の発明によれば、前記セット部により前記対応する配線をセットするときに、前記長穴を前記仕切りに挿通させるため、前記仕切りにより隣接する前記ワイヤー電線同士を仕切って、前記ワイヤー電線間のショートを防止することができる。
【００３７】
請求項４に記載の発明によれば、前記曲げ凸部により前記ワイヤー電線の一部分を前記曲げ凹部側へ曲げ変形させるため、前記ワイヤー電線を前記ユニット本体に強固に取付けて、前記ワイヤー電線の接続部と前記配線の接続部の電気的な接続状態が安定する。
【図面の簡単な説明】
【図１】図１（ａ）は、第１の発明の実施の形態に係わる接続ユニットの平面図であって、図１（ｂ）は、図１（ａ）におけるＩ−Ｉ線に沿った図である。
【図２】図２（ａ）は、第１の発明の実施の形態に係わる接続ユニットの側面図であって、図２（ｂ）は、図１（ｂ）におけるＩＩ−ＩＩ線に沿った図である。
【図３】カバーの係止爪とユニット本体の被係止切欠きの係止状態を示す斜視図である。
【図４】図４（ａ）は、第１の発明の実施の形態に係わる接続ユニットの平面図であって、図４（ｂ）は、図４（ａ）におけるＩＩＩ−ＩＩＩ線に沿った図である。
【符号の説明】
１　接続ユニット
３　ワイヤー電線
３ａ　接続部
５　フレキシブルプリント回路基板
７　配線
７ａ　接続部
９　ユニット本体
１１　セット部
１３　被係止切欠き
１５　カバー
１７　係止爪
１９　押え板
２１　仕切り
２３　曲げ凹部
２５　曲げ凸部
【図１】
2004087331.tif 000003
【図２】
2004087331.tif 000004
【図３】
2004087331.tif 000005
【図４】
2004087331.tif 000006